(57)【要約】    【課題】病室内の病床の患者からの緊急の呼び出しへと即時に対応して、迅速な看護業務の遂行を図る。    【解決手段】緊急呼出元である病床の患者がナースコール子機１ａ、１ｂ、・・・のスタッフコールボタン１１を操作、例えば、設定時間以上操作する、または設定回数操作すると、これらの緊急呼出操作を検出した制御機５のＣＰＵ５０の制御により緊急呼出先のナースコール親機３と緊急呼出元のナースコール子機との間の通話路が形成される。また、緊急呼出元のナースコール子機に接続された廊下灯２ａ、２ｂ、・・・のＣＰＵ２０、ナースコール親機のＣＰＵ３０、または制御機のＣＰＵは、ナースコール親機とナースコール子機との間の通話路が形成されたことを応答確認音として緊急呼出元であるナースコール子機の子機スピーカ１３から出力させる。さらに、ナースコール親機のＣＰＵ、または制御機のＣＰＵは、ナースコール親機とナースコール子機との間の通話路が形成されたことを緊急呼出音として緊急呼出先であるナースコール親機の親機スピーカ３４から出力させる。    【選択図】図１
2005236566.tif 000002
【特許請求の範囲】
【請求項１】
病室内の病床にそれぞれ設置されたナースコール子機（１ａ、１ｂ、・・・）の呼出ボタン（１０）を操作して通常の呼び出し、スタッフコールボタン（１１）を操作して緊急の呼び出しをナースコール親機（３）へと報知・表示させ、前記ナースコール親機の通話部（３５）と前記ナースコール子機の子機マイク（１２）および子機スピーカ（１３）との間で通話を行うナースコールシステムであって、
前記スタッフコールボタンが操作されたとき、前記ナースコール親機と前記ナースコール子機との間の通話路を形成するための制御機（５）を備え、
前記制御機により通話路が形成されたことを前記子機スピーカから応答確認音として出力させるための応答確認信号を出力するＣＰＵ（２０、３０、５０）を備えたことを特徴とするナースコールシステム。
【請求項２】
病室内の病床にそれぞれ設置されたナースコール子機（１ａ、１ｂ、・・・）の呼出ボタン（１０）を操作して通常の呼び出し、スタッフコールボタン（１１）を操作して緊急の呼び出しをナースコール親機（３）へと報知・表示させ、前記ナースコール親機の通話部（３５）と前記ナースコール子機の子機マイク（１２）および子機スピーカ（１３）との間で通話を行うナースコールシステムであって、
前記スタッフコールボタンが設定時間以上操作されたとき、前記ナースコール親機と前記ナースコール子機との間の通話路を形成するための制御機（５）を備え、
前記制御機により通話路が形成されたことを前記子機スピーカから応答確認音として出力させるための応答確認信号を出力するＣＰＵ（２０、３０、５０）を備えたことを特徴とするナースコールシステム。
【請求項３】
病室内の病床にそれぞれ設置されたナースコール子機（１ａ、１ｂ、・・・）の呼出ボタン（１０）を操作して通常の呼び出し、スタッフコールボタン（１１）を操作して緊急の呼び出しをナースコール親機（３）へと報知・表示させ、前記ナースコール親機の通話部（３５）と前記ナースコール子機の子機マイク（１２）および子機スピーカ（１３）との間で通話を行うナースコールシステムであって、
前記スタッフコールボタンが設定回数操作されたとき、前記ナースコール親機と前記ナースコール子機との間の通話路を形成するための制御機（５）を備え、
前記制御機により通話路が形成されたことを前記子機スピーカから応答確認音として出力させるための応答確認信号を出力するＣＰＵ（２０、３０、５０）を備えたことを特徴とするナースコールシステム。
【請求項４】
前記制御機により通話路が形成されたことを前記ナースコール親機の親機スピーカ（３４）から緊急呼出音として出力させるための緊急呼出信号を出力するＣＰＵ（３０、５０）を備えたことを特徴とする請求項１乃至請求項３のうち何れか１項記載のナースコールシステム。
【請求項５】
前記応答確認信号を出力するためのＣＰＵおよび／または前記緊急呼出信号を出力するためのＣＰＵは前記制御機に備えられていることを特徴とする請求項１乃至請求項４のうち何れか１項記載のナースコールシステム。
【発明の詳細な説明】
【技術分野】
【０００１】
本発明はナースコールシステムに係り、特に、病室内の病床の患者からの緊急の呼び出しへと即時に対応して、迅速な看護業務の遂行を図るナースコールシステムに関する。
【背景技術】
【０００２】
従来から、この種のナースコールシステムとして、病室内の病床の患者からの緊急呼出時には、ナースセンター内に設置されたナースコール親機へと緊急の呼び出しをかけるばかりでなく、自分の受け持ちか否かに関わらず全ての携帯端末へと緊急の呼び出しをかけ、通常呼出時には、受け持ちの看護婦が携行する携帯端末へと通常の呼び出しをかけることにより、全ての看護師が即時に対応することができ、迅速な看護業務の遂行が図れるナースコール装置が開示されている（例えば、特許文献１を参照）。
【０００３】
【特許文献１】特開２０００−２２４３２１号公報（段落番号００１５、００３７）
【発明の開示】
【発明が解決しようとする課題】
【０００４】
しかしながら、従来例のナースコール装置において、病室内の病床の患者からの緊急呼出時には、ナースセンター内に設置されたナースコール親機にて緊急呼び出しがある旨の報知・表示は行われるが、ナースセンター内に在室中の看護師により応答操作が行われないと、緊急呼出元である病床の患者との間で通話が成立しないため、対応が遅れる可能性があり迅速な看護業務の遂行が困難となる場合があった。
【０００５】
本発明は、上述の難点を解消するためになされたもので、緊急呼出先のナースコール親機と緊急呼出元のナースコール子機との間の通話路が形成されたことを緊急呼出元である病床の患者および緊急呼出先であるナースセンター内に在室中の看護師へと迅速に報知するばかりでなく、看護師による応答操作を必要とせずに患者からの受話音声を報知できるナースコールシステムを提供することを目的としている。
【課題を解決するための手段】
【０００６】
上述の目的を達成するため、本発明のナースコールシステムは、病室内の病床にそれぞれ設置されたナースコール子機の呼出ボタンを操作して通常の呼び出し、スタッフコールボタンを操作して緊急の呼び出しをナースコール親機へと報知・表示させ、ナースコール親機の通話部とナースコール子機の子機マイクおよび子機スピーカとの間で通話を行う当該システムであって、スタッフコールボタンが操作されたとき、ナースコール親機とナースコール子機との間の通話路を形成するための制御機を備え、制御機により通話路が形成されたことを子機スピーカから応答確認音として出力させるための応答確認信号を出力するＣＰＵを備えている。
【０００７】
また、本発明のナースコールシステムは、病室内の病床にそれぞれ設置されたナースコール子機の呼出ボタンを操作して通常の呼び出し、スタッフコールボタンを操作して緊急の呼び出しをナースコール親機へと報知・表示させ、ナースコール親機の通話部とナースコール子機の子機マイクおよび子機スピーカとの間で通話を行う当該システムであって、スタッフコールボタンが設定時間以上操作されたとき、ナースコール親機とナースコール子機との間の通話路を形成するための制御機を備え、制御機により通話路が形成されたことを子機スピーカから応答確認音として出力させるための応答確認信号を出力するＣＰＵを備えている。
【０００８】
また、本発明のナースコールシステムは、病室内の病床にそれぞれ設置されたナースコール子機の呼出ボタンを操作して通常の呼び出し、スタッフコールボタンを操作して緊急の呼び出しをナースコール親機へと報知・表示させ、ナースコール親機の通話部とナースコール子機の子機マイクおよび子機スピーカとの間で通話を行う当該システムであって、スタッフコールボタンが設定回数操作されたとき、ナースコール親機とナースコール子機との間の通話路を形成するための制御機を備え、制御機により通話路が形成されたことを子機スピーカから応答確認音として出力させるための応答確認信号を出力するＣＰＵを備えている。
【０００９】
また、本発明のナースコールシステムは、制御機により通話路が形成されたことをナースコール親機の親機スピーカから緊急呼出音として出力させるための緊急呼出信号を出力するＣＰＵを備えている。
【００１０】
また、本発明のナースコールシステムにおいて、応答確認信号を出力するためのＣＰＵおよび／または緊急呼出信号を出力するためのＣＰＵは制御機に備えられている。
【発明の効果】
【００１１】
本発明のナースコールシステムによれば、緊急呼出元である病床の患者がナースコール子機のスタッフコールボタンを操作、例えば、設定時間以上操作する、または設定回数操作すると、これらの緊急呼出操作を検出した制御機のＣＰＵの制御により緊急呼出先のナースコール親機と緊急呼出元のナースコール子機との間の通話路が形成される。また、緊急呼出元のナースコール子機に接続された廊下灯のＣＰＵ、ナースコール親機のＣＰＵ、または制御機のＣＰＵは、ナースコール親機とナースコール子機との間の通話路が形成されたことを応答確認音として緊急呼出元であるナースコール子機の子機スピーカから出力させることができる。さらに、ナースコール親機のＣＰＵ、または制御機のＣＰＵは、ナースコール親機とナースコール子機との間の通話路が形成されたことを緊急呼出音として緊急呼出先であるナースコール親機の親機スピーカから出力させることができる。
【００１２】
これにより、緊急呼出元である病床の患者は、ナースコール親機とナースコール子機との間の通話路が形成されたことを確認した後、形成された通話路を介して子機マイクからの送話音声を伝送させることができ、緊急呼出先であるナースセンター内に在室中の看護師は、応答操作を行うことなくナースコール親機の親機スピーカから出力された緊急呼出元である病床の患者の受話音声を即時に確認できることから、迅速な看護業務の遂行が図れる。
【発明を実施するための最良の形態】
【００１３】
以下、本発明のナースコールシステムを適用した最良の実施の形態例について、図面を参照して説明する。
【００１４】
図１は、本発明の実施例によるナースコールシステムの構成を示すブロック図である。
【００１５】
図１のブロック図に示すナースコールシステムは、Ａ号室内、Ｂ号室内、・・・のような病室内の病床にそれぞれ設置され、病床の患者がナースセンター内に在室中の看護師（以下、在室看護師という。）や後述する携帯端末４を携行しながら病院内を巡回中の医師や看護師等（以下、巡回看護師という。）に対して通常の呼び出し（ナースコール呼び出しと同意）のための操作、または緊急の呼び出しのための操作を行い、呼出先（通常呼出先、緊急呼出先）である看護師（在室看護師、巡回看護師）との間で通話を行うための（複数の）ナースコール子機、ここでは、病室毎１台ずつのナースコール子機１ａ、１ｂ、・・・と、各病室の出入口近傍等にそれぞれ設置され、通常呼出ラインＬ10a、緊急呼出ラインＬ10b、第１の通話ラインＬ10c、第２の通話ラインＬ10dからなる子機ラインＬ1a、Ｌ1b、・・・をそれぞれ介してナースコール子機１ａ、１ｂ、・・・が接続されており、病床の患者からの通常の呼び出し、または緊急の呼び出しを検出するとともに、呼出先（通常呼出先、緊急呼出先）である看護師（在室看護師、巡回看護師）と呼出元（通常呼出元、緊急呼出元）である病床の患者との間で行われる通話の通話路を形成するための（複数の）廊下灯２ａ、２ｂ、・・・と、ナースセンター内に設置され、病床の患者からの通常の呼び出し、または緊急の呼び出しが報知・表示され、これらの呼び出しを確認した在室看護師が呼出元（通常呼出元、緊急呼出元）である病床の患者との間で通話を行うためのナースコール親機３と、巡回看護師により携行され、病床の患者からの通常の呼び出し、または緊急の呼び出しが報知され、これらの呼び出しを確認した巡回看護師が呼出元（通常呼出元、緊急呼出元）である病床の患者との間で通話を行うための例えば、ＰＨＳ（Personal Handyphone System）等の携帯端末４と、病院内の共用部、例えば、ナースセンター内や廊下先等に設置され、制御ラインＬ20a、通話ラインＬ20bからなる廊下灯ラインＬ2を介してバス接続された廊下灯２ａ、２ｂ、・・・および制御ラインＬ30a、通話ラインＬ30bからなる親機ラインＬ3を介して接続されたナースコール親機３をそれぞれ制御するとともに、携帯端末４を制御するための制御機５とから構成されている。
【００１６】
なお、病室内の病床にそれぞれ設置されるナースコール子機１ａ、１ｂ、・・・は、病室毎１台ずつに限定されず、複数台の当該ナースコール子機を病室毎に設けることもできる。また、巡回看護師により携行される携帯端末４についても１台に限定されず、複数台、例えば、病床の患者をそれぞれ受け持つ担当の看護婦毎で複数台設けることもできる。
【００１７】
また、（複数の）ナースコール子機１ａ、１ｂ、・・・はそれぞれ同様な構成であり、個別の子機番号（詳述せず）を有している。
【００１８】
（複数の）ナースコール子機１ａ、１ｂ、・・・は、子機ラインＬ1a、Ｌ1b、・・・をなす通常呼出ラインＬ10aに接続されており、病床の患者が在室看護師および巡回看護師に対して通常の呼び出しがある場合に操作する呼出ボタン１０と、子機ラインＬ1a、Ｌ1b、・・・をなす緊急呼出ラインＬ10bに接続されており、病床の患者が在室看護師および巡回看護師に対して緊急の呼び出しがある場合に操作するスタッフコールボタン１１と、呼出元（通常呼出元、緊急呼出元）である病床の患者が呼出先（通常呼出先、緊急呼出先）である在室看護師または巡回看護師との間で通話を行うにあたり送話音声を入力する子機ラインＬ1a、Ｌ1b、・・・をなす第１の通話ラインＬ10cに接続された子機マイク１２および受話音声を出力する子機ラインＬ1a、Ｌ1b、・・・をなす第２の通話ラインＬ10dに接続された子機スピーカ１３とをそれぞれ備えている。
【００１９】
なお、（複数の）ナースコール子機１ａ、１ｂ、・・・において、子機スピーカ１３は、上述の受話音声の出力のみならず、緊急呼出先のナースコール親機３と緊急呼出元の当該ナースコール子機との間の通話路（後述する）が形成されたことを報知するための応答確認音を出力する機能も有している。
【００２０】
また、（複数の）廊下灯２ａ、２ｂ、・・・はそれぞれ同様な構成であり、個別の病室／廊下灯番号（詳述せず）を有している。
【００２１】
（複数の）廊下灯２ａ、２ｂ、・・・は、当該廊下灯の構成各部を制御するためのＣＰＵ（以下、廊下灯ＣＰＵという。）２０と、子機ラインＬ1a、Ｌ1b、・・・をなす通常呼出ラインＬ10aを介して接続されたナースコール子機１ａ、１ｂ、・・・の呼出ボタン１０が操作されたことを検出するための通常呼出検出回路２１と、子機ラインＬ1a、Ｌ1b、・・・をなす緊急呼出ラインＬ10bを介して接続されたナースコール子機１ａ、１ｂ、・・・のスタッフコールボタン１１が操作されたことを検出するための緊急呼出検出回路２２と、廊下灯ＣＰＵ２０および廊下灯ラインＬ2をなす制御ラインＬ20aの間の信号伝送路を形成するためのデータ送受信回路（以下、廊下灯データ送受信回路という。）２３と、ナースコール子機１ａ、１ｂ、・・・の子機マイク１２に接続された子機ラインＬ1a、Ｌ1b、・・・をなす第１の通話ラインＬ10cを介して伝送されてくる音声信号を４線／２線変換するとともに、子機スピーカ１３に接続された子機ラインＬ1a、Ｌ1b、・・・をなす第２の通話ラインＬ10dを介して伝送させる音声信号を２線／４線変換するための通話回路（以下、廊下灯通話回路という。）２４と、廊下灯通話回路２４および廊下灯ラインＬ2をなす通話ラインＬ20bの間の信号伝送路、すなわち、通話路を形成するための通話制御回路（以下、廊下灯通話制御回路という。）２５とをそれぞれ備えている。
【００２２】
なお、（複数の）廊下灯２ａ、２ｂ、・・・には、上述の各部の他に、ナースコール子機１ａ、１ｂ、・・・が病床に設置された患者からの通常の呼び出し、または緊急の呼び出しを報知するために異なるパターンで呼出表示するとともに、呼出先（通常呼出先、緊急呼出先）である在室看護師または巡回看護師と呼出元（通常呼出元、緊急呼出元）である病床の患者との間で通話が行われている旨を通話表示するための病床毎に割り当てられた（複数の）表示灯をそれぞれ備えることができる。
【００２３】
また、ナースコール親機３は、当該ナースコール親機の構成各部を制御するためのＣＰＵ（以下、親機ＣＰＵという。）３０と、親機ＣＰＵ３０および親機ラインＬ3をなす制御ラインＬ30aの間の信号伝送路を形成するためのデータ送受信回路（以下、親機データ送受信回路という。）３１と、ナースコール子機１ａ、１ｂ、・・・が病床に設置された患者からの通常の呼び出し、または緊急の呼び出しを報知するために異なる信号フォーマットの呼出音信号を生成する呼出音発生回路（以下、親機呼出音発生回路という。）３２と、ナースコール子機１ａ、１ｂ、・・・が病床に設置された患者からの通常の呼び出し、または緊急の呼び出しを報知するために異なるパターンで呼出表示するとともに、呼出先（通常呼出先、緊急呼出先）である在室看護師と呼出元（通常呼出元、緊急呼出元）である病床の患者との間で通話が行われている旨を通話表示するための病床毎に割り当てられた（複数の）表示灯３３ａ、３３ｂ、・・・および当該表示灯を制御するための表示回路３３と、親機呼出音発生回路３２にて生成された呼出音信号を信号処理して呼出種別毎で異なるパターンの呼出音（通常呼出音、緊急呼出音）を出力するとともに、緊急呼出元である病床の患者の受話音声を出力するための親機スピーカ３４と、親機スピーカ３４からの呼出音または受話音声の出力、および（複数の）表示灯３３ａ、３３ｂ、・・・のうち呼出表示が行われた当該表示灯をもとに通常呼出元である病床の患者を確認した在室看護師が応答して通話を行うために使用する通話部をなすマイクおよびレシーバ（符号は付与せず）を有するハンドセット３５と、ハンドセット３５の取り上げの有無によりフックオフ／オンされるフックスイッチ３６と、緊急呼出元である病床の患者の受話音声を親機スピーカ３４から出力させる、または通常呼出元である病床の患者の受話音声をハンドセット３５のレシーバから出力させるために音声信号の信号伝送路を切り換える通話切換回路３７と、通話切換回路３７および親機ラインＬ3をなす通話ラインＬ30bの間の信号伝送路、すなわち、通話路を形成するための通話制御回路（以下、親機通話制御回路という。）３８とを備えている。
【００２４】
また、携帯端末４は、所定の端末番号を有しており、ナースコール子機１ａ、１ｂ、・・・が病床に設置された患者からの通常の呼び出し、または緊急の呼び出しを報知するために異なる信号フォーマットの呼出音信号を生成する呼出音発生回路（以下、端末呼出音発生回路という。）４０と、端末呼出音発生回路４０にて生成された呼出音信号を信号処理して呼出種別毎で異なるパターンの呼出音（通常呼出音、緊急呼出音）を出力するとともに、呼出先（通常呼出先、緊急呼出先）である巡回看護師が応答して通話を行うために使用される通話部をなす端末スピーカ４１と、端末スピーカ４１とともに巡回看護師が通話を行うために使用する通話部をなす端末マイク４２と、後述するデータ送受信回路４４から端末スピーカ４１への信号伝送路および端末マイク４２から後述するデータ送受信回路４４への間の信号伝送路をそれぞれ形成し、送受信される音声信号を２線／４線変換、または４線／２線変換するための通話回路（以下、端末通話回路という。）４３と、端末呼出音発生回路４０および制御機５の後述するデータ送受信回路５１の間の無線による信号伝送路、端末通話回路４３および制御機５の後述するデータ送受信回路５１の間の無線による信号伝送路をそれぞれ形成するためのデータ送受信回路（以下、端末データ送受信回路という。）４４とを備えている。
【００２５】
さらに、制御機５は、当該制御機の構成各部を制御するためのＣＰＵ（以下、制御機ＣＰＵという。）５０と、制御機ＣＰＵ５０および廊下灯ラインＬ2をなす制御ラインＬ20aの間の信号伝送路、制御機ＣＰＵ５０および親機ラインＬ3をなす制御ラインＬ30aの間の信号伝送路、制御機ＣＰＵ５０および携帯端末４の端末データ送受信回路４４の間の信号伝送路をそれぞれ形成するためのデータ送受信回路（以下、制御機データ送受信回路という。）５１と、制御機ＣＰＵ５０および廊下灯ラインＬ2をなす通話ラインＬ20bの間の信号伝送路、制御機ＣＰＵ５０および親機ラインＬ3をなす通話ラインＬ30bの間の信号伝送路、（制御機ＣＰＵ５０、制御機データ送受信回路５１を介して）携帯端末４および廊下灯ラインＬ2をなす通話ラインＬ20bの間の信号伝送路、すなわち、通話路をそれぞれ形成するための通話制御回路（以下、制御機通話制御回路という。）５２とを備えている。
【００２６】
なお、制御機５において、制御機ＣＰＵ５０は、上述の制御機能のみならず、緊急呼出先であるナースコール親機３と緊急呼出元である当該ナースコール子機との間の通話路（後述する）が形成されたことを報知するために、緊急呼出元である当該ナースコール子機の子機スピーカ１３から応答確認音を出力させる機能および緊急呼出先であるナースコール親機３の親機スピーカ３４から緊急呼出音を出力させる機能も有している。
【００２７】
このように構成された本発明の実施例によるナースコールシステムにおいて、以下、具体的な動作について図１のブロック図を参照して説明する。
【００２８】
なお、本発明の実施例による動作として、Ａ号室、Ｂ号室内、・・・のような病室内の病床の患者が在室看護師および（携帯端末４を携行している）巡回看護師に対して通常の呼び出しがある場合の動作、すなわち、ナースコール子機１ａ、１ｂ、・・・の呼出ボタン１０を操作したとき、ナースコール親機３にて行われる報知・表示を確認した在室看護師および携帯端末４にて行われる報知を確認した巡回看護師のうち最先に応答した看護師との間で通話を行う動作は、従来例のナースコール装置の該当動作と同様であることから、当該動作の説明は省略する。
【００２９】
次に、本発明の実施例による動作として、Ａ号室、Ｂ号室内、・・・のような病室内の病床の患者のうち、ここでは、Ａ号室内の病床の患者が在室看護師および（携帯端末４を携行している）巡回看護師に対して緊急の呼び出しがある場合には、ナースコール子機１ａのスタッフコールボタン１１を操作、例えば、設定時間以上操作する、または設定回数操作する。また、上述の緊急呼出操作が行われたスタッフコールボタン１１は、緊急呼出操作信号を生成する。この緊急呼出操作信号は、子機ラインＬ1aをなす緊急呼出ラインＬ10b、Ａ号室の出入口近傍等に設置された廊下灯２ａの緊急呼出検出回路２２へと伝送される。
【００３０】
廊下灯２ａの緊急呼出検出回路２２は、ナースコール子機１ａのスタッフコールボタン１１からの緊急呼出操作信号をもとに、ナースコール子機１ａが設置された病床の患者からの緊急呼び出しがあることを検出し、その旨の緊急呼出検出信号を廊下灯ＣＰＵ２０に出力する。また、廊下灯ＣＰＵ２０は、緊急呼出検出回路２２からの緊急呼出検出信号を検出すると、廊下灯通話回路２４および廊下灯通話制御回路２５を制御して緊急呼出元であるナースコール子機１ａの子機マイク１２および子機スピーカ１３と子機ラインＬ1aをなす第１、第２の各通話ラインＬ10c、Ｌ10d、廊下灯通話回路２４、廊下灯通話制御回路２５を介して廊下灯ラインＬ2をなす廊下灯通話ラインＬ20bとの間の信号伝送路、すなわち、通話路を形成するととともに、緊急呼出元であるナースコール子機１ａが有する子機番号情報、自廊下灯が有する病室／廊下灯番号情報および緊急の呼び出しがある旨の呼出種別情報を付加させた緊急呼出起動信号を生成する。この緊急呼出起動信号は、廊下灯データ送受信回路２３から廊下灯ラインＬ2をなす制御ラインＬ20a、制御機５の制御機データ送受信回路５１を介して制御機ＣＰＵ５０へと伝送されるとともに、Ａ号室を除く他の病室（Ｂ号室、・・・）の出入口近傍等に設置された廊下灯２ｂ、・・・の廊下灯データ送受信回路２３を介して廊下灯ＣＰＵ２０へとそれぞれ伝送される。
【００３１】
なお、廊下灯２ａを除く他の廊下灯２ｂ、・・・の廊下灯ＣＰＵ２０は、伝送されてきた緊急呼出起動信号が制御機５からの出力信号でないことから、当該緊急呼出起動信号を無効であるとそれぞれ判断する。
【００３２】
制御機５の制御機ＣＰＵ５０は、廊下灯２ａの廊下灯ＣＰＵ２０からの緊急呼出起動信号に付加されている子機番号情報、病室／廊下灯番号情報および呼出種別情報をもとに、Ａ号室内でナースコール子機１ａが設置された病床の患者からの緊急呼び出しがあることを検出し、制御機通話制御回路５２を制御して廊下灯ラインＬ2をなす通話ラインＬ20bおよび親機ラインＬ3をなす通話ラインＬ30bの間の信号伝送路、すなわち、通話路を形成する。また、制御機ＣＰＵ５０は、上述の通話路の形成のみならず、廊下灯２ａの廊下灯ＣＰＵ２０からの緊急呼出起動信号に通話路が形成された旨の制御情報を付加させた緊急呼出信号（以下、親機緊急呼出信号という。）を生成し、この親機緊急呼出信号を制御機データ送受信回路５１から親機ラインＬ3をなす制御ラインＬ30a、ナースコール親機３の親機データ送受信回路３１を介して親機ＣＰＵ３０へと伝送させるとともに、緊急呼出起動信号に付加されている子機番号情報、病室／廊下灯番号情報および上述の通話路が形成された旨の制御情報を付加させた応答確認信号を生成し、この応答確認信号を制御機データ送受信回路５１から廊下灯ラインＬ2をなす制御ラインＬ20a、（複数の）廊下灯２ａ、２ｂ、・・・の廊下灯データ送受信回路２３を介して廊下灯ＣＰＵ２０へとそれぞれ伝送させ、さらに、廊下灯２ａの廊下灯ＣＰＵ２０からの緊急呼出起動信号に携帯端末４を指定するための端末番号情報を付加させた緊急呼出信号（以下、端末緊急呼出信号という。）を生成して制御機データ送受信回路５１に出力する。制御機データ送受信回路５１は、制御機ＣＰＵ５０からの端末緊急呼出信号を無線信号の端末緊急呼出無線信号に信号処理して携帯端末４へと送信する。
【００３３】
ナースコール親機３の親機ＣＰＵ３０は、制御機５の制御機ＣＰＵ５０からの親機緊急呼出信号に付加されている子機番号情報、病室／廊下灯番号情報および呼出種別情報をもとに、Ａ号室内でナースコール子機１ａが設置された病床の患者からの緊急呼び出しがあることを検出し、表示回路３３を制御して緊急呼出元である患者の病床に割り当てられている表示灯、ここでは、表示灯３３ａを通常呼出時とは異なるパターンで点滅させるとともに、通話切換回路３７および親機通話制御回路３８を制御して親機ラインＬ3をなす通話ラインＬ30bと親機通話制御回路３８、通話切換回路３７を介して親機スピーカ３４との間の信号伝送路、すなわち、通話路を形成する。また、親機ＣＰＵ３０は、制御機５の制御機ＣＰＵ５０からの親機緊急呼出信号に付加されている制御情報を検出すると、親機呼出音発生回路３２を制御して緊急呼出音信号を生成させ、適宜、信号処理した緊急呼出音を親機スピーカ３４から出力させることにより、これらの報知・表示を確認した緊急呼出先である在室看護師、例えば、ナースセンター内においてナースコール親機３の設置場所の周囲近傍に居る在室看護師は、Ａ号室内でナースコール子機１ａが設置された病床の患者からの緊急呼び出しがあり、当該ナースコール親機とナースコール親機１ａとの間の通話路が形成されたことを確認できる。
【００３４】
（複数の）廊下灯２ａ、２ｂ、・・・において、廊下灯ＣＰＵ２０は、制御機５の制御機ＣＰＵ５０からの応答確認信号に付加されている病室／廊下灯番号情報が自廊下灯が有する病室／廊下灯番号と一致するか否かをそれぞれ検出し、一致が検出した場合には、同様に応答確認信号へと付加されている子機番号情報に該当する当該ナースコール子機の子機スピーカ１３から応答確認音を出力させるための応答確認音信号を生成する。ここでは、廊下灯２ａの廊下灯ＣＰＵ２０のみ上述の一致が検出され、この廊下灯ＣＰＵ２０にて生成された応答確認音信号が廊下灯通話回路２４から子機ラインＬ1aをなす第２の通話ラインＬ10dを介してナースコール子機１ａの子機スピーカ１３へと伝送され、適宜、信号処理された応答確認音として出力されることにより、この応答確認音の出力を確認した緊急呼出元である病床の患者は、ナースコール親機３とナースコール親機１ａとの間の通話路が形成されたことを確認できる。
【００３５】
ここで、ナースコール親機３とナースコール親機１ａとの間の通話路が形成されたことを確認できた緊急呼出元である病床の患者がナースコール子機１ａの子機マイク１２を介して入力させた送話音声は、電気信号に信号処理された音声信号として子機ラインＬ1aをなす第１の通話ラインＬ10c、廊下灯２ａの廊下灯通話回路２４、廊下灯通話制御回路２５、廊下灯ラインＬ2をなす通話ラインＬ20b、制御機５の制御機通話制御回路５２、親機ラインＬ3をなす通話ラインＬ30b、ナースコール親機３の親機通話制御回路３８、通話切換回路３７を介して親機スピーカ３４へと伝送され、緊急呼出元である病床の患者の受話音声として親機スピーカ３４から出力されることにより、緊急呼出先である在室看護師に対して緊急の呼び出しがある旨の報知を音声で具体的に報知できるばかりでなく、上述の表示灯３３ａの点滅表示と併せて確認した緊急呼出元であるナースコール親機３の設置場所の周囲近傍に居る在室看護師のみならず、設置場所から離れた場所に居る在室看護師は、当該ナースコール親機にて応答操作を行うことなく即時に対応することで迅速な看護業務の遂行が図れる。
【００３６】
また、携帯端末４の端末データ送受信回路４４は、制御機５の制御機データ送受信回路５１からの端末緊急呼出無線信号を受信して電気信号の端末緊急呼出信号へと信号処理する。端末呼出音発生回路４０は、端末データ送受信回路４４からの端末緊急呼出信号に付加されている子機番号情報、病室／廊下灯番号情報および呼出種別情報をもとに、緊急の呼び出しがある旨の呼出種別を示す緊急呼出音信号を生成して通常の呼出時とは異なるパターンの緊急呼出音を端末スピーカ４１から出力させることにより、緊急呼出先である巡回看護師に対してＡ号室内でナースコール子機１ａが病床に設置された患者からの緊急の呼び出しがある旨の報知を行うことができ、この報知を確認した巡回看護師が即時に対応することで迅速な看護業務の遂行が図れる。
【００３７】
次に、ナースコール親機３にて行われた報知・表示および携帯端末４にて行われた報知をもとに、Ａ号室内でナースコール子機１ａが病床に設置された患者からの緊急の呼び出しがある旨を確認した在室看護師および巡回看護師のうち、最先に応答した看護師、先ず、巡回看護師による所定の応答操作（詳述せず）が行われる前に在室看護師がナースコール親機３の（通話部をなす）ハンドセット３５を取り上げるような応答操作を行うと、フックスイッチ３６がフックオンからフックオフへと切り換えられる。これを検出した親機ＣＰＵ３０は、通話切換回路３７を制御して親機通話制御回路３８への接続を親機スピーカ３４への接続から在室看護師が使用するハンドセット３５への接続に切り換えることにより、このハンドセット３５のマイクおよびレシーバと通話切換回路３７、親機通話制御回路３８、親機ラインＬ3をなす通話ラインＬ30b、制御機５の制御機通話制御回路５２、廊下灯ラインＬ2をなす通話ラインＬ20b、廊下灯２ａの廊下灯通話制御回路２５、廊下灯通話回路２４、子機ラインＬ1aをなす第１、第２の各通話ラインＬ10c、Ｌ10dを介して緊急呼出元である病床の患者が使用するナースコール子機１ａの子機マイク１２および子機スピーカ１３との間の信号伝送路、すなわち、通話路が形成され、形成された通話路を介して音声信号を送受信させることにより通話を行うことができる。
【００３８】
また、ナースコール親機３の親機ＣＰＵ３０は、上述の在室看護師による応答操作を検出すると、通話切換回路３７を制御して通話路を切り換えるばかりでなく、表示回路３３を制御して点滅されている表示灯３３ａを点灯させて通話状態である旨を表示するとともに、携帯端末４の端末スピーカ４１から出力されている緊急呼出音を停止させるための端末制御信号を生成する。この端末制御信号は、親機データ送受信回路３１から親機ラインＬ3をなす制御ラインＬ30aを介して制御機５の制御機データ送受信回路５１へと伝送される。
【００３９】
制御機５の制御機データ送受信回路５１は、ナースコール親機３の親機ＣＰＵ３０からの端末制御信号を無線信号の端末制御無線信号へと信号処理する。この端末制御無線信号は、携帯端末４の端末データ送受信回路４４へと無線伝送される。
【００４０】
携帯端末４の端末データ送受信回路４４は、制御機５の制御機データ送受信回路５１からの端末制御無線信号を受信して電気信号の端末制御信号へと信号処理する。端末呼出音発生回路４０は、端末データ送受信回路４４からの端末制御信号を検出すると、端末スピーカ４１からの緊急呼出音の出力を停止させることができ、当該携帯端末では、次回の呼び出しに待機するような待受状態となる。
【００４１】
一方、ナースコール親機３にて行われた報知・表示および携帯端末４にて行われた報知をもとに、Ａ号室内でナースコール子機１ａが病床に設置された患者からの緊急の呼び出しがある旨を確認した在室看護師および巡回看護師のうち、最先に応答した看護師、ここでは、在室看護師による上述の応答操作が行われる前に巡回看護師が携帯端末４にて所定の応答操作（詳述せず）を行うと、端末呼出音発生回路４０が制御され、端末スピーカ４１からの呼出音の出力が停止するとともに、端末通話回路４３が制御され、緊急呼出先である巡回看護師が使用する端末スピーカ４１および端末マイク４２と、端末通話回路４３、端末データ送受信回路４４、制御機５の制御機データ送受信回路５１、制御機ＣＰＵ５０、制御機通話制御回路５２、廊下灯ラインＬ2をなす通話ラインＬ20b、廊下灯２ａの廊下灯通話制御回路２５、廊下灯通話回路２４、子機ラインＬ1aをなす第１、第２の各通話ラインＬ10c、Ｌ10dを介して緊急呼出元である病床の患者が使用するナースコール子機１ａの子機マイク１２および子機スピーカ１３との間の信号伝送路、すなわち、通話路が形成され、形成された通話路を介して音声信号を送受信させることにより通話を行うことができる。
【００４２】
また、制御機５の制御機ＣＰＵ５０は、上述の巡回看護師による応答操作を検出すると、ナースコール親機３の親機スピーカ３４から出力されている受話音声の出力を停止させるための親機制御信号を生成する。この親機制御信号は、制御機データ送受信回路５１から親機ラインＬ3をなす制御ラインＬ30aからナースコール親機３の親機データ送受信回路３１を介して親機ＣＰＵ３０へと伝送される。
【００４３】
ナースコール親機３の親機ＣＰＵ３０は、制御機５の制御機ＣＰＵ５０からの親機制御信号を検出すると、親機通話制御回路３８を制御して当該親機通話制御回路から通話切換回路３７への信号伝送路を遮断することにより、親機スピーカ３４からの受話音声の出力、すなわち、緊急呼出元である病床の患者からの受話音声の出力を停止させることができ、当該ナースコール親機では、次回の呼び出しに待機するような待受状態となる。
【００４４】
なお、本発明の実施例によれば、病室内の病床の患者が在室看護師および巡回看護師に対して緊急の呼び出しがある場合に使用するナースコール子機１ａ、１ｂ、・・・のスタッフコールボタン１１の緊急呼出操作として、当該スタッフコールボタンを設定時間以上操作する、または設定回数操作する場合について説明したが、これらの操作に限定されず、スタッフコールボタン１１をワンショットの操作として操作した場合にも緊急呼出操作を有効にすることができる。
【００４５】
また、本発明の実施例によれば、緊急呼出先のナースコール親機３と緊急呼出元のナースコール子機１ａとの間の通話路が形成されたことを緊急呼出元である病床の患者に報知させるための応答確認信号を出力するＣＰＵとして、制御機５の制御機ＣＰＵ５０を適用したが、この制御機ＣＰＵ５０に限定されず、緊急呼出元の当該ナースコール子機に接続された廊下灯２ａの廊下灯ＣＰＵ２０、またはナースコール親機３の親機ＣＰＵ３０から出力させることもできる。
【００４６】
また、本発明の実施例によれば、緊急呼出先のナースコール親機３と緊急呼出元のナースコール子機１ａとの間の通話路が形成されたことを緊急呼出先である在室看護師に報知させるための緊急呼出信号を出力するＣＰＵとして、制御機５の制御機ＣＰＵ５０を適用したが、この制御機ＣＰＵ５０に限定されず、ナースコール親機３の親機ＣＰＵ３０から出力させることもできる。
【００４７】
さらに、本発明の実施例によれば、巡回看護師により携行された携帯端末４を無線制御する機器として制御機５を適用したが、この制御機５のみならず、当該制御機とは別個に順次接続させた（デジタル方式の）交換機および基地局を使用して無線制御することもできる。
【図面の簡単な説明】
【００４８】
【図１】本発明の実施例によるナースコールシステムの構成を示すブロック図。
【符号の説明】
【００４９】
１ａ、１ｂ、・・・ ……ナースコール子機
１０……呼出ボタン
１１……スタッフコールボタン
１２……子機マイク
１３……子機スピーカ
２ａ、２ｂ、・・・ ……廊下灯
２０……廊下灯ＣＰＵ（ＣＰＵ）
３……ナースコール親機
３０……親機ＣＰＵ（ＣＰＵ）
３４……親機スピーカ
３５……ハンドセット（通話部）
４……携帯端末
５……制御機
５０……制御機ＣＰＵ（ＣＰＵ）
【図１】
2005236566.tif 000003